(57)【要約】【課題】配信された広告データの中から有用と思われる広告データをユーザが容易に分別し、閲覧する。【解決手段】端末装置４のチェック画面表示制御部４４１は、表示画面４０が表示させているチェック画面内のチェック作業領域に、配信された広告データを重ねて表示させる。操作受付部４５が、チェック作業領域の広告データに対する閲覧操作を受けた場合、閲覧画面表示制御部４４２は、閲覧画面に切り替えて閲覧操作を受けた広告データを表示させ、閲覧終了操作を受けるとチェック画面に戻る。操作受付部４５が、チェック作業領域の広告データに対するチェック済み操作を受けた場合、チェック画面表示制御部４４１は、チェック画面内のチェック作業領域にすでに表示しているチェック済みの広告データの表示を削除し、チェック済み操作を受けた広告データをチェック画面内のチェック作業領域からチェック済み広告表示領域に移動して表示する。【選択図】図５
2015069514.tif 000002
【特許請求の範囲】
【請求項１】
画像を表示する表示部と、
広告配信装置から広告データを受信する受信部と、
前記受信部によって受信された前記広告データを記憶する記憶部と、
ユーザによる操作を受け付ける操作受付部と、
前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御部と、
前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御部と、
を備えることを特徴とする端末装置。
【請求項２】
前記チェック画面表示制御部は、前記チェック作業領域内に重なりが下であるほどチェック済み広告表示領域からの距離が遠くなるように複数の前記広告データを重ねて表示させる、
ことを特徴とする請求項１に記載の端末装置。
【請求項３】
前記操作受付部は、前記チェック作業領域において重ねて表示させている複数の前記広告データのうち、重なりが最も上の前記広告データに対するチェック済み操作を受ける、
ことを特徴とする請求項１または請求項２に記載の端末装置。
【請求項４】
前記チェック画面表示制御部は、前記チェック作業領域に前記広告データを所定の角度の範囲内における傾きにより表示させる、
ことを特徴とする請求項１から請求項３のいずれか１項に記載の端末装置。
【請求項５】
前記チェック画面表示制御部は、前記チェック作業領域において重ねて表示させている複数の前記広告データのうち、重なりが最も上の前記広告データの表示の傾きを調整して表示する、
ことを特徴とする請求項４に記載の端末装置。
【請求項６】
前記チェック画面表示制御部は、前記チェック済み広告表示領域に表示されている前記広告データに対するやり直し操作を前記操作受付部が受けた場合に、やり直し操作を受けた前記広告データを前記チェック作業領域に移動して重なりが最も上になるように表示させる、
ことを特徴とする請求項１から請求項５のいずれか１項に記載の端末装置。
【請求項７】
前記チェック画面表示制御部は、
前記チェック作業領域に表示されている前記広告データに対するチェック済み操作を前記操作受付部が受けた場合に、チェック済み広告表示領域に表示されている他の広告データを削除し、チェック済み操作を受けた前記広告データを前記チェック画面内のチェック作業領域からチェック済み広告表示領域に移動して表示させ、
前記チェック済み広告表示領域に表示されている前記広告データに対するやり直し操作を前記操作受付部が受けた場合に、やり直し操作を受けた前記広告データを前記チェック作業領域に移動して重なりが最も上になるように表示させ、やり直し操作を受けた前記広告データよりも前にチェック済み操作を受けた前記広告データを前記チェック済み広告表示領域に表示させる、
ことを特徴とする請求項１から請求項６のいずれか１項に記載の端末装置。
【請求項８】
前記チェック画面表示制御部は、チェック済み操作を受けた前記広告データを、チェック済み操作を受けていない前記広告データとは重ならないように前記チェック済み広告表示領域に表示させる、
ことを特徴とする請求項１から請求項７のいずれか１項に記載の端末装置。
【請求項９】
前記チェック画面表示制御部は、前記チェック済み広告表示領域に前記広告データの一部を表示させる、
ことを特徴とする請求項１から請求項８のいずれか１項に記載の端末装置。
【請求項１０】
前記チェック画面表示制御部は、前記記憶部に記憶されている未表示の前記広告データのうち所定数の広告データを重ねて前記チェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック済み広告表示領域に移動して表示させ、前記記憶部に記憶されている未表示の前記広告データを、表示されている前記広告データよりも重なりが後ろになるように前記チェック作業領域に追加表示する、
ことを特徴とする請求項１から請求項９のいずれか１項に記載の端末装置。
【請求項１１】
前記広告データには、表示優先度が付加されており、
前記チェック画面表示制御部は、前記記憶部に記憶されている前記広告データを前記表示部が表示しているチェック画面内のチェック作業領域に前記表示優先度が高い順に重ねて表示させる、
ことを特徴とする請求項１から請求項１０のいずれか１項に記載の端末装置。
【請求項１２】
前記広告データには、表示優先度が付加されており、
前記チェック画面表示制御部は、前記記憶部に記憶されている未表示の前記広告データのうち前記表示優先度が高いものから所定数の広告データを重ねて前記チェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック済み広告表示領域に移動して表示させ、前記記憶部に記憶されている未表示の前記広告データの中で最も表示優先度が高い前記広告データを前記チェック作業領域に追加表示する、
ことを特徴とする請求項１から請求項１１のいずれか１項に記載の端末装置。
【請求項１３】
前記チェック画面表示制御部は、前記チェック作業領域の一方側から並ぶように複数の前記広告データを重ねて表示させ、
前記チェック済み操作は、重なりが上の前記広告データから重なりが下の前記広告データへと並んでいる方向とは異なる方向に沿うフリック操作である、
ことを特徴とする請求項１から請求項１２のいずれか１項に記載の端末装置。
【請求項１４】
画像を表示する表示部とユーザによる操作を受け付ける操作受付部とを備えた端末装置が実行する広告表示方法であって、
受信部が、広告配信装置から広告データを受信する受信ステップと、
記憶部が、前記受信ステップにおいて受信された前記広告データを記憶する記憶ステップと、
チェック画面表示制御部が、前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御ステップと、
閲覧画面表示制御部が、前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御ステップと、
を有することを特徴とする広告表示方法。
【請求項１５】
画像を表示する表示部とユーザによる操作を受け付ける操作受付部とを備えたコンピュータを、
広告配信装置から広告データを受信する受信部、
前記受信部によって受信された前記広告データを記憶する記憶部、
前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御部、
前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御部、
として機能させるプログラム。
【発明の詳細な説明】
【技術分野】
【０００１】
本発明は、端末装置、広告表示方法、及びプログラムに関する。
【背景技術】
【０００２】
現在、スーパーマーケット、家電製品の量販店等の店舗では、広告の媒体として、新聞等と一緒に配達される折り込みチラシを利用している。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
ユーザは、端末装置に配信された電子チラシ(広告データ）のうち興味を惹く電子チラシのみを閲覧することが多い。そこで、配信された個々の電子チラシが自らとって有用な電子チラシであるかの分別を行い、有用と分別した電子チラシのみを閲覧することが考えられる。しかし、分別を行うためには、各電子チラシに関する情報を確認する必要がある。配信された電子チラシの数が多い場合、分別の参考となる情報を読んで確認するのは煩雑な作業であり、また、その情報を１画面に表示しきれないときには、画面スクロールなどの操作を行わなければならない。
【０００５】
本発明は、このような事情を考慮してなされたもので、配信された広告データの中から有用と思われる広告データをユーザが容易に分別し、閲覧することができる端末装置、広告表示方法、及びプログラムを提供する。
【課題を解決するための手段】
【０００６】
上記目的を達成するために、請求項１に記載の発明は、画像を表示する表示部と、広告配信装置から広告データを受信する受信部と、前記受信部によって受信された前記広告データを記憶する記憶部と、ユーザによる操作を受け付ける操作受付部と、前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御部と、前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御部と、を備えることを特徴とする端末装置である。
【０００７】
また、請求項２に記載の発明は、請求項１に記載の端末装置であって、前記チェック画面表示制御部は、前記チェック作業領域内に重なりが下であるほどチェック済み広告表示領域からの距離が遠くなるように複数の前記広告データを重ねて表示させる、ことを特徴とする。
【０００８】
また、請求項３に記載の発明は、請求項１または請求項２に記載の端末装置であって、前記操作受付部は、前記チェック作業領域において重ねて表示させている複数の前記広告データのうち、重なりが最も上の前記広告データに対するチェック済み操作を受ける、ことを特徴とする。
【０００９】
また、請求項４に記載の発明は、請求項１から請求項３のいずれか１項に記載の端末装置であって、前記チェック画面表示制御部は、前記チェック作業領域に前記広告データを所定の角度の範囲内における傾きにより表示させる、ことを特徴とする。
【００１０】
また、請求項５に記載の発明は、請求項４に記載の端末装置であって、前記チェック画面表示制御部は、前記チェック作業領域において重ねて表示させている複数の前記広告データのうち、重なりが最も上の前記広告データの表示の傾きを調整して表示する、ことを特徴とする。
【００１１】
また、請求項６に記載の発明は、請求項１から請求項５のいずれか１項に記載の端末装置であって、前記チェック画面表示制御部は、前記チェック済み広告表示領域に表示されている前記広告データに対するやり直し操作を前記操作受付部が受けた場合に、やり直し操作を受けた前記広告データを前記チェック作業領域に移動して重なりが最も上になるように表示させる、ことを特徴とする。
【００１２】
また、請求項７に記載の発明は、請求項１から請求項６のいずれか１項に記載の端末装置であって、前記チェック画面表示制御部は、前記チェック作業領域に表示されている前記広告データに対するチェック済み操作を前記操作受付部が受けた場合に、チェック済み広告表示領域に表示されている他の広告データを削除し、チェック済み操作を受けた前記広告データを前記チェック画面内のチェック作業領域からチェック済み広告表示領域に移動して表示させ、前記チェック済み広告表示領域に表示されている前記広告データに対するやり直し操作を前記操作受付部が受けた場合に、やり直し操作を受けた前記広告データを前記チェック作業領域に移動して重なりが最も上になるように表示させ、やり直し操作を受けた前記広告データよりも前にチェック済み操作を受けた前記広告データを前記チェック済み広告表示領域に表示させる、ことを特徴とする。
【００１３】
また、請求項８に記載の発明は、請求項１から請求項７のいずれか１項に記載の端末装置であって、前記チェック画面表示制御部は、前記チェック作業領域の一方側から並ぶように複数の前記広告データを重ねて表示させ、前記チェック済み操作は、重なりが上の前記広告データから重なりが下の前記広告データへと並んでいる方向とは異なる方向に沿うフリック操作である、ことを特徴とする。
【００１４】
また、請求項９に記載の発明は、請求項１から請求項８のいずれか１項に記載の端末装置であって、前記チェック画面表示制御部は、前記チェック済み広告表示領域に前記広告データの一部を表示させる、ことを特徴とする。
【００１５】
また、請求項１０に記載の発明は、請求項１から請求項９のいずれか１項に記載の端末装置であって、前記チェック画面表示制御部は、前記記憶部に記憶されている未表示の前記広告データのうち所定数の広告データを重ねて前記チェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック済み広告表示領域に移動して表示させ、前記記憶部に記憶されている未表示の前記広告データを、表示されている前記広告データよりも重なりが後ろになるように前記チェック作業領域に追加表示する、ことを特徴とする。
【００１６】
また、請求項１１に記載の発明は、請求項１から請求項１０のいずれか１項に記載の端末装置であって、前記広告データには、表示優先度が付加されており、前記チェック画面表示制御部は、前記記憶部に記憶されている前記広告データを前記表示部が表示しているチェック画面内のチェック作業領域に前記表示優先度が高い順に重ねて表示させる、ことを特徴とする。
【００１７】
また、請求項１２に記載の発明は、請求項１から請求項１１のいずれか１項に記載の端末装置であって、前記広告データには、表示優先度が付加されており、前記チェック画面表示制御部は、前記記憶部に記憶されている未表示の前記広告データのうち前記表示優先度が高いものから所定数の広告データを重ねて前記チェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック済み広告表示領域に移動して表示させ、前記記憶部に記憶されている未表示の前記広告データの中で最も表示優先度が高い前記広告データを前記チェック作業領域に追加表示する、ことを特徴とする。
【００１８】
また、請求項１３に記載の発明は、請求項１から請求項１２のいずれか１項に記載の端末装置であって、前記チェック画面表示制御部は、前記チェック作業領域の一方側から並ぶように複数の前記広告データを重ねて表示させ、前記チェック済み操作は、重なりが上の前記広告データから重なりが下の前記広告データへと並んでいる方向とは異なる方向に沿うフリック操作である、ことを特徴とする。
【００１９】
また、上記目的を達成するために、請求項１４に記載の発明は、画像を表示する表示部とユーザによる操作を受け付ける操作受付部とを備えた端末装置が実行する広告表示方法であって、受信部が、広告配信装置から広告データを受信する受信ステップと、記憶部が、前記受信ステップにおいて受信された前記広告データを記憶する記憶ステップと、チェック画面表示制御部が、前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御ステップと、閲覧画面表示制御部が、前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御ステップと、を有することを特徴とする広告表示方法である。
【００２０】
また、上記目的を達成するために、請求項１５に記載の発明は、画像を表示する表示部とユーザによる操作を受け付ける操作受付部とを備えたコンピュータを、広告配信装置から広告データを受信する受信部、前記受信部によって受信された前記広告データを記憶する記憶部、前記記憶部に記憶されている前記広告データを前記表示部が表示しているチェック画面内のチェック作業領域に表示させ、前記チェック作業領域に表示されている前記広告データに対するチェック済み操作を前記操作受付部が受けた場合に、チェック済み操作を受けた前記広告データを前記チェック画面内のチェック作業領域からチェック済み広告表示領域に移動して表示させるチェック画面表示制御部、前記チェック作業領域に表示されている前記広告データに対する閲覧操作を前記操作受付部が受けた場合に、閲覧操作を受けた前記広告データを表示する閲覧画面を前記表示部に表示させ、前記閲覧画面の表示中に前記操作受付部が閲覧終了操作を受けた場合に、当該閲覧画面に遷移する前の前記チェック画面を前記表示部に表示させる閲覧画面表示制御部、として機能させるプログラムである。
【発明の効果】
【００２１】
請求項１、１４、及び１５の発明によれば、広告配信装置から配信される広告データが多い場合でも、ユーザは、画面のスクロールをすることなく閲覧対象とするか否かを判断して広告データを分別することができる。そして、閲覧対象として分別した広告データについてはすぐに閲覧を行い、閲覧後に次の広告データの分別を行うため、折り込みチラシを扱うのに近い感覚で直感的に広告データの分別及び閲覧を行うことが可能となる。
請求項２の発明によれば、端末装置は、チェックの順番が近いほどチェック済み広告表示領域に近い位置に広告データの画像を重ねて表示するため、ユーザが視点を大きく動かすことなく、次々とチェック対象の広告データの画像を見ることができる。
請求項３の発明によれば、ユーザは、分別対象の広告データを都度指定することなく、分別を行うことができる。
請求項４の発明によれば、端末装置は、ユーザが折り込みチラシを扱うときと近い感覚で広告データの画像を表示させることができる。
請求項５の発明によれば、端末装置は、チェック対象の広告データの画像をユーザが見やすいように向きを調整して表示することができる。
請求項６の発明によれば、ユーザは、一旦チェックを行った広告データを閲覧することができる。
請求項７の発明によれば、端末装置は、ユーザが誤って閲覧対象の広告データを閲覧せずにチェック済みとしてしまった場合でも、すぐにその誤りに気付いて操作のやり直しをしやすい表示とすることが可能となる。
請求項８の発明によれば、端末装置は、広告データがまだチェックを行っていないものであるか、チェック済みのものであるかをユーザにわかりやすく表示することができる。
請求項９の発明によれば、端末装置は、分別対象の広告データを見るときに煩わしくないように、チェック済みの広告データを表示することができる。
請求項１０の発明によれば、端末装置は、広告配信装置から配信される広告データが多い場合でも、ディスプレイにはユーザが見やすい数のチェック待ちの広告データの画像をチェック作業領域に表示することができる。
請求項１１の発明によれば、端末装置は、広告データの画像を、広告配信装置が決定した表示優先度の順にユーザに提示することができる。
請求項１２の発明によれば、端末装置は、広告データの画像を、広告配信装置が決定した表示優先度の順に、ユーザが見やすい数だけ表示させることができる。
請求項１３の発明によれば、端末装置は、まだチェックを行っていない広告データの画像を、チェック済みの操作の指の動きによって隠れないように表示させることができる。
【図面の簡単な説明】
【００２２】
【図１】本発明の一実施形態である広告配信システムの構成図である。
【図２】広告配信装置１の機能ブロック図の一例である。
【図３】記憶部１１に記憶される情報の一例である。
【図４】広告配信装置１が配信する配信データの一例である。
【図５】端末装置４の機能ブロック図の一例である。
【図６】記憶部４３に記憶される情報の一例である。
【図７】表示画面４０における表示例である。
【図８】表示画面４０における表示例である。
【図９】広告配信装置１の動作の一例を示すフローチャートである。
【図１０】端末装置４の動作の一例を示すフローチャートである。
【図１１】端末装置４の動作の一例を示すフローチャートである。
【図１２】表示画面４０における表示例である。
【図１３】表示画面４０における表示例である。
【図１４】表示画面４０における表示例である。
【図１５】表示画面４０における表示例である。
【発明を実施するための形態】
【００２３】
以下、本発明の一実施形態について図面を参照して詳細に説明する。
図１は、本実施形態による広告配信システムの構成図である。同図に示すように、広告配信システムは、広告配信会社の広告配信装置１と複数のユーザの端末装置４とをネットワーク９により接続して構成される。ネットワーク９は、例えば、インターネット網である。広告配信装置１は、表示優先度を付加した広告データを端末装置４に配信し、端末装置４は、表示優先度に従って広告データを表示する。表示優先度は、所定のルールに従って、あるいは、ランダムに決定される。広告配信装置１から１台の端末装置４に対して１度にまとめて配信される広告データの数（同時配信数）が限られている場合、端末装置４は広告の配信要求を複数回に分けて広告配信装置１に送信する。広告配信装置１は、端末装置４から広告の配信要求を受信する度に、表示優先度が高い順に所定数ずつ広告データを配信する。以下では、広告配信装置１から１台の端末装置４に対して１度にまとめて配信される広告データの数（同時配信数）が限られている場合を例に説明する。
【００２４】
図２は、広告配信装置１の機能ブロック図の一例である。広告配信装置１は、１台または複数台のコンピュータサーバにより実現され、同図に示すように、記憶部１１、送受信部１２、要求受信部１３、検索部１４、表示優先度決定部１５、及び配信部１６を備えて構成される。
【００２５】
記憶部１１は、種々の情報を記憶する。例えば、記憶部１１は、広告主の各店舗を管理する店舗管理情報と、広告データを記憶する。ここでは、広告データは、電子チラシの画像データであるチラシ画像とする。ここで「電子チラシ」とは広告実施店舗が取扱っている商品または提供している役務に関する画像情報、文字情報、および音声情報等を含む電子化された広告宣伝情報を意味するものである。また広告実施店舗毎に開催されるフェアや、キャンペーン情報等、特定の商品や役務に限られない販売促進情報が含まれていてもよい。チラシ画像には、当該チラシ画像の掲載開始日時または登録日時の情報が付加される。店舗管理情報には、各店舗の店舗詳細情報、店舗位置情報、検索情報、チラシ画像を特定する情報などが含まれる。店舗詳細情報は、店舗に関する詳細な情報であり、例えば、店舗名や住所などが含まれる。店舗位置情報は、店舗の所在地を示す。検索情報は、ユーザに配信するチラシ画像を検索する際に用いられる情報である。
【００２６】
送受信部１２は、ネットワーク９を介して端末装置４とデータを送受信する。要求受信部１３は、検索条件及び配信要求対象特定情報が設定された配信要求を、送受信部１２を介して端末装置４から受信する。検索条件は、ユーザが配信を希望する電子チラシを検索するために用いられる条件を示す。配信要求対象特定情報は、端末装置４が配信を要求するチラシ画像の表示優先度を示す。例えば、チラシ画像の同時配信数がｐの場合、ｎ回目の配信要求に設定される配信要求対象特定情報には、表示優先度の範囲「（ｎ−１）×ｐ＋１〜ｎ×ｐ」を示す値が設定される。この場合、例えば、配信要求対象特定情報には、表示優先度の範囲「（ｎ−１）×ｐ＋１〜ｎ×ｐ」を設定してもよく、広告配信装置１と端末装置４との間で同時配信数ｐが既知の場合は、表示優先度「（ｎ−１）×ｐ＋１」を設定してもよく、何回目の配信要求であるかを示す「ｎ」を設定してもよい。検索部１４は、店舗管理情報の検索情報を参照し、受信した配信要求に設定されている検索条件に合致する店舗を広告配信店舗として特定する。さらに検索部１４は、特定した広告配信店舗のチラシ画像の中から配信対象のチラシ画像を掲載開始日時または登録日時に基づいて抽出する。表示優先度決定部１５は、検索部１４が抽出した配信対象のチラシ画像の表示優先度を、所定の条件に従って、あるいは、所定の条件下でランダムに決定する。配信部１６は、検索部１４が抽出した配信対象のチラシ画像のうち、表示優先度決定部１５により決定された表示優先度が、配信要求対象特定情報が示す表示優先度の範囲と合致するチラシ画像を抽出する。配信部１６は、抽出したチラシ画像と、当該チラシ画像について決定された表示優先度の情報と、チラシ総数とを含んだ配信データを生成し、生成した配信データを送受信部１２に出力して端末装置４への配信を指示する。チラシ総数には、検索部１４が抽出した配信対象のチラシ画像の総数が設定される。
【００２７】
なお、本実施形態では、広告配信装置１は、要求受信部１３が端末装置４から配信要求を受信したときに配信データを生成して配信するプル型の配信を行う場合について説明するが、要求受信部１３が端末装置４から配信要求を受信した後、所定の時間ごとに配信データを生成して配信するプッシュ型の配信を行ってもよい。
【００２８】
図３は、記憶部１１に記憶される店舗管理情報の一例である。
店舗管理情報は、広告主ＩＤ、広告主、店舗ＩＤ、店舗詳細情報、店舗位置情報、検索情報、チラシ画像ＩＤ等を対応付けた情報を含む。
広告主ＩＤは、広告主を識別するための任意の情報であり、広告主は、電子チラシの配信の依頼主である。店舗ＩＤは、広告主が広告を行う対象としている店舗を識別するための任意の情報である。１つの広告主に対して、１または複数の店舗が対応する。店舗詳細情報は、店舗名や住所などの店舗に関する情報を含む。店舗位置情報は、店舗の所在地を示し、地図上の店舗の位置（座標）でもよく、緯度・経度などでもよい。
【００２９】
検索情報は、ユーザが配信を希望する電子チラシを検索するために参照する情報である。この検索情報の一例としては、例えば、電子チラシの配信先の地域を指定するエリア特定情報、目標物の名称、店舗や商品を分類するカテゴリなどである。
エリア特定情報は、例えば、郵便番号または住所（地域名称、例えば都道府県名・市町村名等でもよい）、あるいは、電話番号の一部の桁を用いることができる。その他にも特定名称、コード等一定の地域を指定できるものであれば上記のものに限られない。また、エリア特定情報に店舗位置情報を用いてもよい。この場合、店舗位置情報で示される店舗所在地から任意の距離範囲（例えば、店舗から１０ｋｍ圏内等）のエリアを電子チラシの配信先の地域とする。
目標物の名称は、例えば、駅名、店舗名等である。
カテゴリは、例えば、店舗を分類するカテゴリである場合には、スーパーマーケットや家電品販売店、食品販売店、飲食店等であり、商品を分類するカテゴリであれば、家電品、食品、家具、生活雑貨などである。
同図においては、検索情報として郵便番号を用いる場合が図示されている。
【００３０】
チラシ画像ＩＤは、チラシ画像を識別する情報である。チラシ画像には、例えば、折り込みチラシとして紙媒体に印刷される画像データや、印刷された折り込みチラシをスキャナによって読み取ったデータを用いることができる。１つの店舗に対して、１または複数のチラシ画像ＩＤが対応し得る。
【００３１】
図４は、配信部１６により生成され、端末装置４に配信される配信データの一例である。図４（ａ）、図４（ｂ）はそれぞれ、同じ端末装置４への１回目の配信データ、２回目の配信データの一例を示す。同図では、チラシ総数が「６」であり、チラシ画像の同時配信数ｐが「５」である場合の例を示している。
配信データは、チラシ総数と、配信済表示優先度情報と、１以上のチラシ画像と、各チラシ画像の表示優先度及び表示店舗情報とを含む。チラシ総数は、配信対象の検索条件に合致したチラシ画像の総数を示す。配信済表示優先度情報は、当該配信データにより配信済みとなるチラシ画像の表示優先度を示す。例えば、配信済表示優先度情報には、当該配信データで配信されるチラシ画像のうち最も低い表示優先度を設定してもよく、当該配信データで配信されるチラシ画像の表示優先度の範囲を設定してもよく、同時配信数ｐが広告配信装置１と端末装置４との間で既知であれば、ｎ回目の配信データであることを示す「ｎ」を設定してもよい。配信済表示優先度情報に「ｎ」を設定する場合、端末装置４において、表示優先度「ｎ×ｐ」とチラシ総数のうち、いずれか小さいほうまでが配信されたことを認識する。また、端末装置４において配信データ内に設定されているチラシ画像の表示優先度の中で最も低い表示優先度を取得することで、配信済表示優先度情報の設定を省略することができる。表示店舗情報は、広告実施店舗に関してユーザに提供する情報であり、例えば、店舗名である。
【００３２】
図５は、端末装置４の機能ブロック図の一例である。端末装置４は、例えば、スマートフォンやタブレット端末、パーソナルコンピュータなどのコンピュータ端末であって、図５に示すように、表示画面（表示部）４０、配信要求部４１、送受信部４２、記憶部４３、表示制御部４４、操作受付部４５、及び、計時部４６を備えて構成される。本実施形態では、端末装置４がスマートフォンである場合について説明する。
【００３３】
表示画面４０は、略矩形であって、表示制御部４４の制御に従って、種々の情報を表示する。本実施形態では、表示画面４０は、タッチセンサを配したタッチセンサ画面であって、ユーザによる接触を検知する。配信要求部４１は、検索条件及び配信要求対象特定情報を設定した配信要求を送受信部４２に出力し、広告配信装置１へ送信するよう指示する。送受信部４２は、ネットワーク９を介して、種々の情報を送受信する。例えば、送受信部４２は、配信要求部４１が送信を指示した配信要求を広告配信装置１に送信する。また、送受信部４２は、配信要求に対応して広告配信装置１から送信されたチラシ画像の配信データを受信する。操作受付部４５は、表示画面４０に配されているタッチセンサを介してユーザから種々の操作を受け付ける。
【００３４】
記憶部４３は、種々の情報を記憶する。例えば、記憶部４３は、送受信部４２によって受信された配信データを記憶する。
【００３５】
図６は、記憶部４３に記憶される情報の一例である。図６（ａ）は、１回目の配信データを受信した後の設定例を示しており、図６（ｂ）は、２回目の配信データを受信した後の設定例を示す。同図に示すように、記憶部４３は、配信データに含まれるチラシ総数及び配信済表示優先度と、チラシ画像、表示優先度、及び表示店舗情報とを記憶する。配信済表示優先度は配信データを受信する度に更新され、チラシ画像、表示優先度、及び表示店舗情報は、配信データを受信する度に追加される。これらの情報は、配信要求部４１が１回目の配信要求を送信した時、あるいは、１回目の配信要求に対応して広告配信装置１から送信された配信データの受信時にクリアされる。
なお、チラシ画像に有効期限が設定されていた場合、有効期限を過ぎたときに、記憶部４３から消去（削除）してもよい。なお、チラシ画像の消去に関しては後述する。
【００３６】
表示制御部４４は、表示画面４０の表示を制御し、チェック画面表示制御部４４１、及び閲覧画面表示制御部４４２を備えて構成される。
【００３７】
チェック画面表示制御部４４１は、表示画面４０へのチェック画面の表示を制御する。チェック画面は、ユーザがチェックを行っていないチラシ画像を表示させるチェック作業領域と、ユーザがチェック済みのチラシ画像を表示させるチェック済み広告表示領域とを含む。具体的には、チェック画面表示制御部４４１は、表示優先度が高い順に表示上限数を超えない数だけチラシ画像を記憶部４３から読み出してチェック画面に初期表示させ、チェック作業開始後は、表示優先度が高い順に表示上限数を超えない数だけ、ユーザがチェックを行っていないチラシ画像をチェック作業領域に表示させる。チェック画面表示制御部４４１は、読み出したチラシ画像を表示画面４０が表示させているチェック画面内の夫々の表示位置（夫々の表示位置とは、チェック画面における初期位置、チェック作業開始後のチェック画面における表示位置である）に表示させる。換言すれば、チェック画面表示制御部４４１は、表示対象の各チラシ画像に対応付けて表示画面４０上の現在の表示位置を記憶している。なお、チェック画面表示制御部４４１は、チラシ画像を重ねて表示する場合の重なり順を、表示位置とは別に表示優先度に基づいて決定する。
【００３８】
チェック画面表示制御部４４１は、操作受付部４５によりチェック済み操作を受けると、そのチェック済みの操作を受けたチラシ画像（以下、「チェック済みチラシ画像」とも記載する。）の表示位置を、表示画面４０上のチェック済み広告表示領域に移動させる。ここでは、表示画面４０のチェック作業領域に重なりが最も上に表示されているチラシ画像に対してチェック済み操作を受ける。このとき、チェック済み広告表示領域に他のチェック済みチラシ画像を既に表示させていた場合、チェック画面表示制御部４４１は、既に表示させていた他のチェック済みチラシ画像を表示画面４０から消去する。さらに、チェック画面表示制御部４４１は、ユーザがチェックを行っていない未表示のチラシ画像のうち表示優先度が最も高いチラシ画像を記憶部４３から読み出して表示画面４０に表示させる。
【００３９】
また、チェック画面表示制御部４４１は、チェック済み広告表示領域に表示されているチェック済みチラシ画像に対するやり直し操作を操作受付部４５により受けると、やり直し操作を受けたチェック済みチラシ画像をチェック作業領域に移動して重なりが最も上になるように表示させる。さらに、チェック画面表示制御部４４１は、やり直し操作を受けたチェック済みチラシ画像の１つ前のチェック済みチラシ画像をチェック済み広告表示領域に表示させる。
また、チェック画面表示制御部４４１は、チェック画面にチラシ総数、チェック対象のチラシ画像（最も重なりが最も上のチラシ画像）が何番目のチラシ画像であるかの数、チェック作業領域に最も上に表示されているチラシ画像の表示店舗情報を表示させる。
【００４０】
閲覧画面表示制御部４４２は、チェック画面表示制御部４４１がチェック画面を表示させているとき操作受付部４５が閲覧操作を受けた場合に、閲覧操作を受けたチラシ画像を表示する閲覧画面を表示画面４０に表示させる。ここでは、表示画面４０のチェック作業領域に重なりが最も上に表示されているチラシ画像に対して閲覧操作を受けるものとする。閲覧画面表示制御部４４２は、操作受付部４５がユーザから受けた表示の拡大、縮小、または、表示移動の操作に応じて、チラシ画像の拡大表示、縮小表示、あるいは、表示部分の移動を行う。閲覧画面表示制御部４４２は、閲覧画面の表示中に操作受付部４５が閲覧終了操作を受けた場合に、現在表示されている閲覧画面に遷移する前のチェック画面を表示画面４０に表示させるようチェック画面表示制御部４４１に指示する。
【００４１】
計時部４６は、広告配信装置１から時刻を取得するか、内部のクロックに基づいて計時する。この広告配信装置１から取得した時刻または内部のクロックに基づく計時結果に基づいて、有効期限が設定されているチラシ画像は、有効期限を過ぎたときに記憶部４３から消去される。
なお、チラシ画像の消去は、記憶部４３自身が、計時部４６が広告配信装置１から取得した時刻、あるいは、計時部４６の計時結果に従って行ってもよいし、計時部４６が行ってもよい。
【００４２】
図７は、端末装置４において、チラシ画像のチェック画面の初期表示に至る迄の画面遷移時の表示画面４０における表示例である。
端末装置４は、表示制御部４４の制御によってアイコンＩ１を表示画面４０に表示させているときに（図７の（ｉ））、操作受付部４５によってアイコンＩ１のタッチを検知した場合、表示制御部４４の制御によってメニュー画面（図７の（ｉｉ））を表示画面４０に表示させる。メニュー画面には、「今日のチラシを見る」と表示されたボタンＢ１、今日のチラシ総数を示すアイコンＩ２などが配置されている。
【００４３】
端末装置４は、操作受付部４５によってメニュー画面（図７の（ｉｉ））上のボタンＢ１のタッチを検知した場合、表示制御部４４の制御によって、チラシ画像のチェックの開始画面（図７の（ｉｉｉ））を表示画面４０に表示させる。端末装置４は、操作受付部４５によって開始画面上の「ＯＫ」ボタンのタッチを検知した場合、チェック画面表示制御部４４１の制御によって、今日のチラシ画像のうち表示優先度の高いものから所定数（同図では３）のチラシ画像をそれぞれ異なる初期表示位置及び傾きで表示したチェック画面（図７の（ｉｖ））を表示する。このとき、チェック画面表示制御部４４１は、表示優先度の高いチラシ画像ほど重なり順が上になるように表示させる。また、チェック画面表示制御部４４１は、各チラシ画像の傾きを所定の角度内（例えば、右３０度から左３０度までの間など）となるように表示させてもよい。さらに、チェック画面表示制御部４４１は、メッセージ表示領域４０ｃに、チラシ総数と、チェック対象のチラシ画像が何番目のチラシ画像であるかの数を表示させる。
【００４４】
なお、端末装置４は、図７の（ｉ）でアイコンＩ１のタッチを検知した場合にチェック画面（図７の（ｉｖ））へ遷移させてもよい。また、端末装置４は、上述のメニュー画面（図７の（ｉｉ））から開始画面（図７の（ｉｉｉ））へ遷移に代えて又は加えて、報知画面（図７の（ｖ））から開始画面（図７の（ｉｉｉ））へ遷移させてもよい。つまり、端末装置４は、送受信部４２が配信データを受信したときに、表示制御部４４の制御によって、チラシ画像の受信を報知する報知画面を表示し、操作受付部４５によって報知画面上の「みる」ボタンのタッチを検知した場合、開始画面（図７の（ｉｉｉ））を表示するようにしてもよい。また、端末装置４は、メニュー画面（図７の（ｉｉ））からチェック画面（図７の（ｉｖ））へ遷移させてもよい。
【００４５】
図８は、初期表示の後のチェック画面の表示画面４０における表示例である。
端末装置４は、チェック画面表示制御部４４１の制御によって、チェック画面の初期表示画面（図７の（ｉｖ））を表示画面４０に所定時間（例えば、３秒）表示させる。その後、端末装置４は、図８に示すように、初期表示位置に表示させたチラシ画像のうち表示優先度の高いものから所定数、あるいは、初期表示位置に表示させたチラシ画像全てをそれぞれ異なる傾きで、チェック作業領域４０ａに移動して一列に並ぶように表示させ、さらに、操作ナビＧ１を表示させる。操作ナビＧ１は、チェック済み操作として行うフリックの方向をユーザに示している。フリック操作は、指などを表示画面４０の表面に短時間接触させながら、接触領域を移動させる操作である。
【００４６】
チェック画面表示制御部４４１は、チェック作業領域４０ａにチラシ画像を、優先度が高いほど、すなわち、重なりが上のチラシ画像ほどチェック済み広告表示領域４０ｂの近くに表示し、優先度が低いほど、すなわち、重なりが下のチラシ画像ほどチェック済み広告表示領域４０ｂから遠くに表示する。表示上限数は１以上の整数であるが、表示上限数が３以上の場合、重なりが上からｊ番目（ｊは１以上の整数）のチラシ画像の中心と、重なりが上から（ｊ＋１）番目のチラシ画像の中心との距離をｒ（ｊ）、表示上限数をｋとすると、チェック画面表示制御部４４１は、ｒ（１）＞ｒ（２）＞…＞ｒ（ｋ−１）となるように重ねて表示する。距離ｒ（ｊ）は、例えば、予め決められたピクセル数としてもよく、チェック作業領域４０ａの大きさに対する割合としてもよい。各チラシ画像の中心の位置は、チェック画面の縦方向の中心線上とする。また、チェック画面表示制御部４４１は、チェック作業領域４０ａにおいて重なりが最も上のチラシ画像を、表示画面４０と上下左右の向きが一致するように天地を調整して表示させるとともに、重なりが最も上のチラシ画像以外は、チラシ画像の色を暗くして表示させる。このように、天地を調整してチラシ画像を表示することによって、ユーザがチラシ画像の内容を把握しやすくなる。また、通常チラシは目立つ色を使用しているため、重なりが最も上のチラシ画像以外は色を暗くして表示することにより、ユーザが最も上のチラシ画像をチェック対象として視認しやすくなる。
【００４７】
さらに、チェック画面表示制御部４４１の制御によって、重なりが最も上のチラシ画像の表示店舗情報を含んだ吹き出し４０ｄをチェック作業領域４０ａに表示させる。チェック画面表示制御部４４１が、チェック済み操作（フリック操作）を行うチェック済み広告表示領域４０ｂとは逆の位置に吹き出し４０ｄを表示させることによって、ユーザがチェック済み操作を行っても吹き出し４０ｄの表示が指で隠れないようにしている。端末装置４は、チェック画面表示制御部４４１の制御により、操作ナビＧ１を３秒間など所定時間表示させたのち消去する。
【００４８】
なお、上記においては、チェック作業領域４０ａにおいて各チラシ画像をそれぞれ異なる傾きで表示させるとしたが、チェック画面表示制御部４４１は、全てのチラシ画像の傾きを揃えて表示してもよい。また、チェック画面表示制御部４４１は、チェック作業領域４０ａにおけるチラシ画像間の距離を一定、あるいは、任意としてもよい。また、チェック画面における各チラシ画像の初期表示における傾きと、チェック作業領域４０ａに移動した後の各チラシ画像の傾きは異なっていてもよく、傾きを保持してもよい。チェック作業領域４０ａに移動した後の各チラシ画像の傾きが初期表示における傾きと異なる場合、１枚目以外の各チラシ画像の傾きを、所定の角度の範囲内でランダムとしてもよく、各チラシ画像の傾きが異なるように予め決められた角度としてもよい。また、チェック画面表示制御部４４１は、チェック作業領域４０ａにおけるチラシ画像の中心の位置を、一直線上に並ぶようにしなくともよい。
【００４９】
次に、広告配信システムの動作について説明する。
図９は、広告配信装置１の動作の一例を示すフローチャートである。
広告配信装置１の送受信部１２は、ネットワーク９を介して端末装置４から配信要求を受信し、要求受信部１３に出力する（ステップＳ１０５）。要求受信部１３は、受信した配信要求から検索条件及び配信要求対象特定情報を読み出すと、検索条件を検索部１４に出力し、配信要求対象特定情報を配信部１６に出力する。一方、プッシュ型の配信を行う場合、要求受信部１３は、配信要求を記憶部１１に記憶しておき、所定の時間ごとに、記憶部１１に記憶されている配信要求から検索条件及び配信要求対象特定情報を読み出し、検索部１４、配信部１６にそれぞれ出力する。
【００５０】
検索部１４は、店舗管理情報の検索情報を参照し、要求受信部１３から入力された検索条件に合致する検索情報に対応した店舗を広告配信店舗として特定する。例えば、検索条件がユーザ位置情報であり、検索情報に郵便番号を用いる場合、検索部１４は、ユーザ位置情報を郵便番号に変換し、変換した郵便番号が検索情報に含まれる店舗を広告配信店舗として特定する。あるいは、検索部１４は、検索情報が店舗位置情報である場合、ユーザ位置情報と店舗位置情報とから算出した距離が所定以内である店舗を広告配信店舗として特定する（ステップＳ１１０）。
【００５１】
検索部１４は、ステップＳ１１０において特定した広告配信店舗のチラシ画像ＩＤを店舗管理情報から読み出す。検索部１４は、読み出したチラシ画像ＩＤにより特定されるチラシ画像の中から、掲載開始時刻または登録日時が、配信要求を受信した時間帯に基づいて定められる時刻以降であるチラシ画像を配信対象のチラシ画像として抽出する(ステップＳ１１５）。例えば、検索部１４は、配信要求を時間帯Ｚ１（Ｔ０時〜Ｔ１時）に受信した場合は掲載開始時刻または登録日時が前日の時刻Ｔ４以降、時間帯Ｚ２（Ｔ１時〜Ｔ２時）に受信した場合は前日の時刻Ｔ５以降、時間帯Ｚ３（Ｔ２時〜Ｔ０時）に受信した場合は当日の時刻Ｔ６以降であるチラシ画像を抽出する。これにより、例えばユーザαが同じ時間帯に配信要求対象特定情報が異なる配信要求を複数回送信した場合でも、検索条件に変更がなければ、同一のチラシ画像が抽出される。また、同じ時間帯にユーザα及びユーザβが同じ検索条件の配信要求を送信した場合も、同一のチラシ画像が抽出される。プッシュ型の配信を行う場合、配信要求を受信した時間帯に代えて、記憶部１１から配信要求を読み出した時刻が含まれる時間帯を用いる。
【００５２】
なお、チラシ画像には有効期限が設定されていてもよい。この有効期限は、電子チラシを閲覧できる期限を示す情報である。検索部１４は、広告配信店舗のチラシ画像ＩＤにより特定されるチラシ画像の中から、掲載開始時刻または登録日時が配信要求を受信した時間帯に基づいて定められる時刻以降であり、かつ、有効期限に現在日時が含まれるチラシ画像を抽出する。
【００５３】
表示優先度決定部１５は、検索部１４が特定した広告配信店舗のチラシ画像ＩＤを店舗管理情報から読み出すと、これらチラシ画像ＩＤにより特定されるチラシ画像の表示優先度を決定する（ステップＳ１２０）。表示優先度は、各店舗に対応づけられた所定の情報（例えば、各店舗の優先度やユーザ位置情報と店舗位置情報とから算出した距離）や、チラシ画像に対応づけられた所定の情報（例えば、掲載開始時刻、登録日時、有効期限など）に基づいて決定してもよく、ランダムに決定してもよい。
【００５４】
ランダムに表示優先度を決定する場合、表示優先度決定部１５は、例えば、パラメータを用いて発生させた乱数に基づいて順序をランダムに決定する既存のアルゴリズムを用いてもよい。このアルゴリズムは、パラメータが同じであれば、同じ乱数を発生させる。これにより、ユーザαが同じ時間帯に配信要求対象特定情報が異なる配信要求を複数回送信した場合でも、検索条件に変更がなく、かつパラメータが配信要求の送信回数に依存しない情報であれば、同一のチラシ画像に対して同一の表示優先度が決定される。配信要求の送信回数に依存しない情報としては、例えば、ユーザ特定情報などユーザ毎に異なる情報や、ユーザのカテゴリを示す情報を用いることができる。また、同じ時間帯に複数のユーザが同じ検索条件の配信要求を送信した場合、同一のチラシ画像が抽出されるが、乱数発生のパラメータとしてユーザのカテゴリを示す情報を用いれば、表示優先度順は、カテゴリが異なるユーザ間では異なるが、同一のカテゴリのユーザについては同じとなる。ユーザ特定情報には、例えば、ユーザＩＤ、電話番号、端末装置４の端末ＩＤなどを用いることができ、ユーザのカテゴリを示す情報には、例えば、郵便番号、地域、電話番号の一部（市内局番等）、性別、年齢(年代）などを用いることができるが、他の情報を用いてもよい。ユーザ特定情報やユーザのカテゴリを示す情報は、端末装置４が配信要求に設定した情報を用いてもよく、配信要求に設定されている送信元ユーザを特定する情報に対応付けて予め記憶部１１に記憶させておいたユーザ情報から読み出してもよく、配信要求あるいはユーザ情報から読み出した情報を加工した情報であってもよい。例えば、検索条件が示す郵便番号、あるいは、検索条件が示すユーザ位置情報に対応した郵便番号を、ユーザのカテゴリを示す情報とすることができる。
表示優先度決定部１５は、検索部１４が抽出したチラシ画像のチラシ画像ＩＤと、当該チラシ画像について決定した表示優先度とを対応付けて配信部１６に出力する。
【００５５】
配信部１６は、表示優先度決定部１５より入力されたチラシ画像ＩＤの中から、配信要求対象特定情報が示す表示優先度の範囲に合致するチラシ画像ＩＤを抽出すると、抽出したチラシ画像ＩＤそれぞれにより特定されるチラシ画像を記憶部１１から読み出す。配信部１６は、読み出したチラシ画像と、当該チラシ画像について表示優先度決定部１５が決定した表示優先度と、表示店舗情報とを対応付けた配信データを生成する。本実施形態では、表示店舗情報には、記憶部１１に記憶されている店舗管理情報から読み出した広告配信店舗の店舗名が設定されるが、住所など店舗詳細情報内の他の情報をさらに設定してもよく、店舗ＩＤまたはチラシ画像ＩＤと対応付けて予め記憶部１１に記憶しておいたメッセージなどをさらに設定してもよい。配信部１６は、生成した配信データにチラシ総数と配信済表示優先度情報を設定すると、配信データを送受信部１２に出力して端末装置４への送信を指示し、送受信部１２は、ネットワーク９を介して端末装置４に配信データを送信する（ステップＳ１２５）。
【００５６】
図１０、及び図１１は、端末装置４の動作の一例を示すフローチャートである。
図１０において、まず、端末装置４の配信要求部４１が、電子チラシの配信を要求すべき予め決められた時刻であることを検出するか、操作受付部４５が、ユーザ操作によるチラシ画像取得指示の入力を検出すると(ステップＳ２０５）、配信要求部４１は、現在時刻が含まれるその日の時間帯において、すでに配信要求を送信しているか否かを判断する(ステップＳ２１０）。
【００５７】
配信要求部４１は、まだ配信要求を送信していないと判断した場合(ステップＳ２１０：ＮＯ）、検索条件と、表示優先度の範囲が「１〜ｐ」であることを示す配信要求対象特定情報とを設定した配信要求を送受信部４２に出力し、広告配信装置１への送信を指示する(ステップＳ２１５）。検索条件には、操作受付部４５によって予めユーザが入力した検索条件が設定される。なお、検索条件としてユーザ位置情報を用いる場合、ユーザ位置情報は、操作受付部４５によってユーザが入力した所在地の情報であってもよく、端末装置４が備えるＧＰＳ（Ｇｌｏｂａｌ Ｐｏｓｉｔｉｏｎｉｎｇ Ｓｙｓｔｅｍ）（非図示）が取得した情報であってもよい。送受信部４２は、ネットワーク９を介して配信要求を広告配信装置１へ送信する。
【００５８】
端末装置４の送受信部４２が、ステップＳ２１５において送信した１回目の配信要求に対応して広告配信装置１から１回目の配信データを受信すると、記憶部４３は、現在記憶されている配信データをクリアした後、受信した配信データを記憶する（ステップＳ２２０）。
【００５９】
一方、ステップＳ２１０において、現在時刻が含まれるその日の時間帯において、すでに配信要求を送信していると判断した場合(ステップＳ２１０：ＹＥＳ）、配信要求部４１は、記憶部４３に記憶されている全てのチラシ画像を未表示かつチェック待ちとする(ステップＳ２２５）。
【００６０】
ステップＳ２２０またはステップＳ２２５の処理に続いて、チェック画面表示制御部４４１は、図７の（ｉ）を表示し、操作受付部４５がアイコンＩ１のタッチを検出した場合に、記憶部４３から表示優先度が高い順に未表示のチラシ画像を初期表示の表示上限数まで読み出す（ステップＳ２３０）。チェック画面表示制御部４４１は、読み出したチラシ画像それぞれについて、表示位置を決定するとともに、傾きを決定する。例えば、チェック画面表示制御部４４１は、各チラシ画像の表示位置をランダムに決定するとともに、傾きを所定の角度内においてランダムに決定する。あるいは、チェック画面表示制御部４４１は、チラシ画像がばらけた表示となるように、１枚目は表示位置（ｘ１，ｙ１）及び傾きｒ１、２枚目は表示位置（ｘ２，ｙ２）及び傾きｒ２、…、ｎ枚目は表示位置（ｘｎ，ｙｎ）及び傾きｒｎのように予め表示位置及び傾きを決めておいてもよい。またあるいは、チェック画面表示制御部４４１は、ばらけた表示となるように予め決められた表示位置（ｘ１，ｙ１）及び傾きｒ１、表示位置（ｘ２，ｙ２）及び傾きｒ２、…、表示位置（ｘｎ，ｙｎ）及び傾きｒｎの中からランダムに各チラシ画像の表示位置及び傾きを決めてもよい。さらに、チェック画面表示制御部４４１は、読み出したチラシ画像の重なり順を表示優先度が高いほど上になるように決定する。チェック画面表示制御部４４１は、図７（ｉｖ）のように、チラシ画像を優先度に応じた重なり順で、ランダムな位置に配置したチェック画面の初期表示を表示画面４０に表示させる。このとき、チェック画面表示制御部４４１は、表示画面４０のメッセージ表示領域４０ｃにチラシ総数と、チェック対象のチラシ画像が何番目のチラシ画像であるかの数を表示するように制御する（ステップＳ２３５）。ここでは、チェック対象のチラシ画像が何番目のチラシ画像であるかの数は、初期値「１」である。
【００６１】
続いて、チェック画面表示制御部４４１は、初期表示させたチラシ画像のうち表示優先度の高いものからチェック作業領域４０ａの表示上限数までをチェック画面のチェック作業領域４０ａに移動して図８に示すように表示し、チェック済み広告表示領域４０ｂに操作ナビＧ１を表示する。チェック作業領域４０ａの表示上限数は、初期表示の表示上限数より少なくてもよく、同じでもよい。チェック画面表示制御部４４１は、チェック作業領域４０ａにおいて重なりが最も上のチラシ画像を天地を調整して表示させるが、重なりが最も上のチラシ画像以外のチラシ画像の傾きを初期表示したときの傾きと変える場合、各チラシ画像の傾きを所定の角度内（例えば、右３０度から左３０度までの間など）においてランダムに決定してもよく、各チラシ画像の傾きが異なるように予め傾きを決めておいてもよい。さらに、チェック画面表示制御部４４１は、重なりが最も上のチラシ画像の表示店舗情報を記憶部４３から読み出し、チェック済み広告表示領域４０ｂとは反対方向の当該チラシ画像の外側に、読み出した表示店舗情報を含んだ吹き出しを表示させる。チェック画面表示制御部４４１は、操作ナビＧ１を所定時間表示させたのち消去する（ステップＳ２４０）。
【００６２】
操作受付部４５は、表示画面４０上において、閲覧操作を受けたか否かを判断する（ステップＳ２４５）。操作受付部４５が、閲覧操作を受けたと判断した場合（ステップＳ２４５：ＹＥＳ）、閲覧画面表示制御部４４２は、チェック作業領域４０ａにおいて重なりが一番上に表示されていたチラシ画像の閲覧画面を表示画面４０に表示させる（ステップＳ２５０）。操作受付部４５が表示の拡大、縮小、または、表示移動の操作を検知した場合（ステップＳ２５５：ＮＯ）、閲覧画面表示制御部４４２は、その操作に応じてチラシ画像の拡大表示、縮小表示、あるいは、表示部分を移動した表示を行い、閲覧画面の表示を継続する（ステップＳ２５０）。
【００６３】
端末装置４の閲覧画面表示制御部４４２が閲覧画面を表示させているときに、操作受付部４５が閲覧画面の終了操作を検知すると（ステップＳ２５５：ＹＥＳ）、チェック画面表示制御部４４１は、閲覧画面表示制御部４４２からの指示により、閲覧画面に遷移する直前のチェック画面を表示画面４０に表示させる（ステップＳ２６０）。端末装置４の表示制御部４４は、ステップＳ２４５からの処理を繰り返す。
【００６４】
操作受付部４５が、チェック画面において閲覧操作を検知しなかった場合（ステップＳ２４５：ＮＯ）、チェック画面表示制御部４４１は、図１１の処理を行う。
【００６５】
図１１において、操作受付部４５が、チェック画面においてチェック済み操作を受けたことを検知する（ステップＳ３０５：ＹＥＳ）。チェック済み操作は、例えば、チェック画面において、チェック作業領域４０ａからチェック済み広告表示領域４０ｂへの方向と同じ方向にフリックすることにより行う。フリック操作の始点は、チラシ画像の表示領域上などチェック作業領域４０ａ内でもよく、チェック済み広告表示領域４０ｂ内でもよい。チェック画面表示制御部４４１は、現在チェック済み広告表示領域４０ｂにチェック済みチラシ画像を表示させていた場合は、そのチェック済みチラシ画像を消去する。チェック画面表示制御部４４１は、チェック作業領域４０ａにおいて一番上に表示させていたチラシ画像を、チェック作業領域４０ａからチェック済み広告表示領域４０ｂに移動して表示させる（ステップＳ３１０）。チェック画面表示制御部４４１は、チェック済み広告表示領域４０ｂに移動したチラシ画像の傾きを、所定の角度内においてランダムに決定してもよく、チェック作業領域４０ａにおいて天地を調整する前の傾きとしてもよい。さらに、チェック画面表示制御部４４１は、表示画面４０のメッセージ表示領域４０ｃに表示させていたチェック対象のチラシ画像が何枚目のチラシ画像であるかの数を、１を加算した数に更新する。
【００６６】
チェック画面表示制御部４４１は、チェック作業領域４０ａにおいて重なりが一番上となったチラシ画像の天地を調整して最もチェック済み広告表示領域４０ｂに近い位置に移動して表示させる。さらに、チェック画面表示制御部４４１は、チェック作業領域４０ａに表示させていた他のチラシ画像の傾きを維持したままチェック済み広告表示領域４０ｂからの距離がｒ（１）＞ｒ（２）＞…＞ｒ（ｋ−１）となるように表示位置を移動して表示させる（ステップＳ３１５）。チェック画面表示制御部４４１は、重なりが最も上のチラシ画像の表示店舗情報を記憶部４３から読み出し、チェック済み広告表示領域４０ｂとは反対方向の当該チラシ画像の外側に、読み出した表示店舗情報を含んだ吹き出しを表示させる。
【００６７】
チェック画面表示制御部４４１は、表示画面４０に現在表示していないチェック待ちのチラシ画像が記憶部４３に記憶されているか否かを判断する（ステップＳ３２０）。表示画面４０に現在表示していないチェック待ちのチラシ画像があると判断した場合（ステップＳ３２０：ＹＥＳ）、チェック画面表示制御部４４１は、表示画面４０に表示していないチェック待ちのチラシ画像のうち、最も表示優先度が高いチラシ画像を記憶部４３から読み出す（ステップＳ３２５）。チェック画面表示制御部４４１は、所定の範囲内の角度でランダムに、あるいは、所定の範囲内の角度において予め決められた傾きによって表示の傾きを決定すると、ステップＳ３２５において読み出したチラシ画像を、重なり順が最も下になるように表示画面４０のチェック作業領域４０ａに追加表示する（ステップＳ３３０）。例えば、図８に示すようにチェック画面においてチェック作業領域４０ａが上側、チェック済み広告表示領域４０ｂが下側である場合、チェック画面表示制御部４４１は、読み出したチラシ画像を、チェック作業領域４０ａの上側の辺から下の方向に移動して表示させる。
【００６８】
ステップＳ３３０の処理の後、あるいは、ステップＳ３２０において、チェック画面表示制御部４４１が、表示画面４０に現在表示していないチェック待ちのチラシ画像がないと判断した場合（ステップＳ３２０：ＮＯ）、配信要求部４１は、記憶部４３に記憶されているチラシ画像のうち、表示画面４０にまだ表示されていないチェック待ちのチラシ画像が所定数以下であるか否かを判断する（ステップＳ３３５）。配信要求部４１が、表示画面４０にまだ表示されていないチェック待ちのチラシ画像の数が所定数よりも大きいと判断した場合（ステップＳ３３５：ＮＯ）、端末装置４は、図１０のステップＳ２４５からの処理を繰り返す。
【００６９】
一方、ステップＳ３３５において、配信要求部４１は、表示画面４０に表示されていないチェック待ちのチラシ画像が所定数以下であると判断した場合（ステップＳ３３５：ＹＥＳ）、記憶部４３を参照して、チラシ総数が配信済表示優先度よりも大きいか否かを判断する(ステップＳ３４０）。配信要求部４１は、チラシ総数が配信済表示優先度よりも大きいと判断した場合(ステップＳ３４０：ＹＥＳ）、検索条件と配信要求対象特定情報とを設定した配信要求を生成し、送受信部４２に出力して広告配信装置１への送信を指示する(ステップＳ３４５）。検索条件には、図１０のステップＳ２１５において送信した配信要求と同じ検索条件が設定される。また、配信要求対象特定情報には、記憶部４３に記憶されている配信済表示優先度が示す表示優先度よりも１大きい表示優先度を示す値から始まる範囲が設定される。例えば、配信済表示優先度が表示優先度「ｎ×ｐ」または「ｎ」回目の配信データを示す場合、配信要求対象特定情報には、表示優先度「ｎ×ｐ＋１」または「ｎ×ｐ＋１〜（ｎ＋１）×ｐ」、あるいは、「ｎ＋１」回目の配信要求を示す値が設定される。送受信部４２は、ネットワーク９を介して配信要求を広告配信装置１へ送信する。
【００７０】
ステップＳ３４５で配信要求を送信した後、端末装置４は、図１０のステップＳ２４５からの処理を行う。なお、ステップＳ２４５以降の処理を実行している間に、ステップＳ３４５において送信した配信要求に対応して広告配信装置１から配信データを受信した場合、記憶部４３は、現在記憶しているチラシ総数及び配信済表示優先度を、受信した配信データに設定されているチラシ総数及び配信済表示優先度により書き換える。さらに、記憶部４３は、受信した配信データに設定されているチラシ画像、表示優先度、及び表示店舗情報を現在の記憶内容に追加して記憶する。
【００７１】
また、ステップＳ３４０において、チラシ総数が配信済表示優先度以下であると配信要求部４１が判断した場合(ステップＳ３４０：ＮＯ）、端末装置４は、図１０のステップＳ２４５からの処理を繰り返す。
【００７２】
チェック画面表示制御部４４１は、チェック画面を表示しているときにチェックのやり直し操作を受けた場合（ステップＳ２４５：ＮＯ、ステップＳ３０５：ＮＯ、ステップＳ３５０：ＹＥＳ）、現在チェック済み広告表示領域４０ｂに表示されているチェック済みチラシ画像を、チェック作業領域４０ａに移動して重なりが一番上となるように、天地を調整して表示させる（ステップＳ３５５）。チェックのやり直し操作は、例えば、チェック画面においてチェック済み広告表示領域４０ｂからチェック作業領域４０ａへの方向と同じ方向にフリックすることにより行う。フリック操作の始点は、チェック済みチラシ画像の表示領域上などチェック済み広告表示領域４０ｂ内としてもよい。チェック画面表示制御部４４１は、チェック作業領域４０ａに表示させていた中で最も表示優先度が低いチラシ画像を消去し、重なりが二番目以降となった他のチラシ画像の表示位置を、ｒ（１）＞ｒ（２）＞…＞ｒ（ｋ−１）となるように、チェック済み広告表示領域４０ｂとは反対方向に移動して表示させる（ステップＳ３６０）。チェック画面表示制御部４４１は、重なりが最も上のチラシ画像の表示店舗情報を記憶部４３から読み出し、当該チラシ画像のチェック済み広告表示領域４０ｂとは反対方向の外側に、読み出した表示店舗情報を含んだ吹き出しを表示させる。また、チェック画面表示制御部４４１は、表示画面４０のメッセージ表示領域４０ｃに表示させていたチェック対象のチラシ画像が何番目のチラシ画像であるかを表す数を、１を減算した数に更新する。さらに、チェック画面表示制御部４４１は、チェック済み広告表示領域４０bに、チェック作業領域４０ａに移動させたチェック済みチラシ画像の１つ前のチェック済みチラシ画像、すなわち、表示優先度が１つ高いチラシ画像を表示する（ステップＳ３６５）。例えば、図８に示すようにチェック画面においてチェック作業領域４０ａが上側、チェック済み広告表示領域４０ｂが下側である場合、チェック画面表示制御部４４１は、１つ前のチェック済みチラシ画像を、チェック済み広告表示領域４０ｂの下側の辺から上の方向に移動させて表示させる。端末装置４は、ステップＳ２４５からの処理を繰り返す。
【００７３】
また、チェック画面において操作受付部４５が、閲覧操作、チェック済み操作、チェックのやり直し操作以外の操作を検知する（ステップＳ２４５：ＮＯ、ステップＳ３０５：ＮＯ、ステップＳ３５０：ＮＯ）。その操作が終了操作以外であれば（ステップＳ３７０：ＮＯ）、端末装置４は、ステップＳ２４５からの処理を繰り返し、終了操作であれば（ステップＳ３７０：ＹＥＳ）、本フローチャートは終了する。
なお、ステップＳ２５０において、操作受付部４５が終了操作を受けたことを検知した場合も本フローチャートは終了する。
また、図１０、図１１の処理中、検索条件が変更された場合、あるいは、検索条件の変更後、チラシ画像取得指示が入力された場合、端末装置４は、ステップＳ２１５からの処理を開始する。
【００７４】
なお、図１０のステップＳ２１５において送信する１回目の配信要求では、配信要求対象特定情報の設定を省略してもよい。配信要求対象特定情報が設定されていない場合、広告配信装置１の要求受信部１３は、１回目の配信要求であると判断し、表示優先度の範囲「１〜ｐ」を示す配信要求対象特定情報を配信部１６に出力する。
【００７５】
続いて、具体例を用いて、図９〜図１１に示すフローチャートを更に説明する。図１２〜図１５は、表示画面４０における表示例である。なお、１度に配信されるチラシ画像の同時配信数ｐが「５」、初期表示画面及びチェック作業領域４０ａの表示上限数が「３」であり、１日が時間帯Ｚ１（時刻Ｔ０から時刻Ｔ１まで）、時間帯Ｚ２（時刻Ｔ１から時刻Ｔ２まで）、時間帯Ｚ３（時刻Ｔ２から時刻Ｔ０時まで）に分けられているとする。
【００７６】
時刻ｔ（Ｔ１≦ｔ＜Ｔ２）において、ユーザが端末装置４の操作受付部４５により配信要求送信指示を入力する(ステップＳ２０５）。配信要求部４１は、その日の時刻Ｔ１から時刻ｔまでに配信要求を送信していないと判断した場合（ステップＳ２１０：ＮＯ）、ユーザの所在地を示す検索条件と、表示優先度の範囲「１〜５」を示す配信要求対象特定情報とを設定した配信要求を広告配信装置１に送信する（ステップＳ２１５）。
【００７７】
広告配信装置１の検索部１４は、端末装置４から受信した配信要求を受信し（ステップＳ１０５）、受信した配信要求に設定されている検索条件が示すユーザの所在地を郵便番号に変換する。検索部１４は、変換した郵便番号に基づいて特定した広告配信店舗のチラシ画像の中から、掲載開始時刻または登録日時が時間帯Ｚ２に対応した時刻以降であるチラシ画像として、画像Ａ、画像Ｂ、画像Ｃ、画像Ｄ、画像Ｅ、画像Ｆを選択する(ステップＳ１１０、Ｓ１１５）。表示優先度決定部１５は、郵便番号をパラメータとして用いて発生させた乱数に基づいて、これらチラシ画像の表示優先度をランダムに決定する（ステップＳ１２０）。これにより、表示優先度決定部１５は、画像Ａの表示優先度を「１」、画像Ｂの表示優先度を「３」、画像Ｃの表示優先度を「４」、画像Ｄの表示優先度を「２」、画像Ｅの表示優先度を「６」、画像Ｆの表示優先度を「５」と決定する。
【００７８】
配信部１６は、配信要求の配信要求対象特定情報が示す表示優先度の範囲「１〜５」に合致する画像Ａ、画像Ｄ、画像Ｂ、画像Ｃ、画像Ｆと、これらチラシ画像それぞれの表示優先度及び表示店舗情報と、チラシ総数「６」を配信データに設定する。さらに、配信部１６は、画像Ａ、画像Ｄ、画像Ｂ、画像Ｃ、画像Ｆの中で最も低い表示優先度「５」を示す配信済表示優先度を配信データに設定する。これにより、配信部１６は、図４（ａ）に示す配信データを端末装置４に送信する(ステップＳ１２５）。
端末装置４の送受信部４２が、広告配信装置１から配信データを受信すると、記憶部４３が、図６（ａ）に示すようにデータを記憶する（ステップＳ２２０）。
【００７９】
チェック画面表示制御部４４１は、表示上限数「３」まで、表示優先度が高い順にチェック待ちの画像Ａ、画像Ｄ、画像Ｂを読み出す(ステップＳ２３０）。チェック画面表示制御部４４１は、図７（ｉｖ）に示すように、チェック画面に、表示優先度が高いほど重なり順が上になるようにこれらの画像をそれぞれ異なる初期表示位置及び傾きで表示する（ステップＳ２３５）。さらに、チェック画面表示制御部４４１は、「チェック対象のチラシ画像が何番目のチラシ画像であるかの数／チラシ総数」を表す「１／６」をメッセージ表示領域４０ｃに表示する。
【００８０】
チェック画面表示制御部４４１は、図８に示すように、初期表示させた画像Ａ、画像Ｄ、画像Ｂをチェック画面のチェック作業領域４０ａに移動して表示し、チェック済み広告表示領域４０ｂに操作ナビＧ１を表示する。さらに、チェック画面表示制御部４４１は、重なりが最も上の画像Ａの表示店舗情報を含む吹き出し４０ｄを、画像Ａの上側に表示させる。チェック画面表示制御部４４１は、操作ナビＧ１を所定時間表示させたのち消去し、図１２（ｉ）に示すようなチェック画面を表示する（ステップＳ２４０）。
【００８１】
図１２（ｉｉ）に示すように、ユーザが表示画面４０における画像Ａの表示領域をタップする（画面に短い時間、指で触れる）と、操作受付部４５は、画像Ａの閲覧操作を受け付けたと判断する（ステップＳ２４５：ＹＥＳ）。閲覧画面表示制御部４４２は、図１２（ｉｉｉ）に示すように、画像Ａを表示させる閲覧画面を表示する（ステップＳ２５０）。ユーザが閲覧画面においてピンチアウト（表示の拡大操作）、ピンチイン（表示の縮小操作）、または、フリック（画面内表示移動の操作）を検知した場合（ステップＳ２５５：ＮＯ）、閲覧画面表示制御部４４２は、その操作に応じて画像Ａの拡大表示、縮小表示、あるいは、表示部分を移動した表示を行う（ステップＳ２５０）。そして、ユーザが閲覧画面の戻るボタンＢ２をタップすると（ステップＳ２５５：ＹＥＳ）、チェック画面表示制御部４４１は、図１２（ｉ）のチェック画面を表示させる（ステップＳ２６０）。
【００８２】
図８あるいは図１２（ｉｉｉ）からの遷移の後、図１２（ｉ）に示すチェック画面が表示されているときに、ユーザが図１２（ｉｖ）に示すように下方向へのフリック操作を行うと、操作受付部４５はチェック済み操作を検知する（ステップＳ２４５：ＮＯ、ステップＳ３０５：ＹＥＳ）。チェック画面表示制御部４４１は、画像Ａをチェック作業領域４０ａからチェック済み広告表示領域４０ｂに移動してその一部のみを、チェック待ちのチラシ画像とは重ならないように表示する。さらに、チェック画面表示制御部４４１は、メッセージ表示領域４０ｃに表示させていたチェック対象のチラシ画像が何番目のチラシ画像であるかの数を「２」に更新する（ステップＳ３１０）。チェック画面表示制御部４４１は、画像Ｄの天地を調整して最もチェック済み広告表示領域４０ｂに近い位置に表示させ、画像Ｂの傾きを維持したまま画像Ｄの方向に移動して表示させる（ステップＳ３１５）。チェック画面表示制御部４４１は、画像Ｄに対応した表示店舗情報を含んだ吹き出しを、画像Ｄの上側に表示させる。
【００８３】
表示画面４０に未表示のチェック待ちの画像Ｃ、Ｅが記憶部４３に記憶されているため（ステップＳ３２０：ＹＥＳ）、チェック画面表示制御部４４１は、それら未表示のチラシ画像のうち、最も表示優先度が高い画像Ｃを読み出す（ステップＳ３２５）。チェック画面表示制御部４４１は、表示画面４０のチェック作業領域４０ａに、所定の範囲内において決めた傾きで、重なり順が最も下になるように画像Ｃを追加表示する（ステップＳ３３０）。これにより、図１３（ｉ）のチェック画面が表示される。
【００８４】
配信要求部４１は、表示画面４０に現在表示していないチェック待ちのチラシ画像の数が「１」であり、次の配信要求の送信を判断する閾値「０」よりも大きいため（ステップＳ３３５：ＮＯ）、配信要求は送信しない。操作受付部４５は、操作受付待ちとなる。
【００８５】
続いて、図１３（ｉｉ）に示すように、ユーザが、表示画面４０における画像Ｄの表示領域をタップすると、操作受付部４５は、画像Ｄの閲覧操作を受け付けたと判断する（ステップＳ２４５：ＹＥＳ）。閲覧画面表示制御部４４２は、図１３（ｉｉｉ）に示すように、画像Ｄを表示させる閲覧画面を表示する（ステップＳ２５０）。閲覧終了後、ユーザが閲覧画面の戻るボタンＢ２を選択すると（ステップＳ２５５：ＹＥＳ）、チェック画面表示制御部４４１は、図１３（ｉ）のチェック画面を表示させる（ステップＳ２６０）。
【００８６】
図１２（ｉｖ）あるいは図１３（ｉｉｉ）からの遷移の後、図１３（ｉ）に示すチェック画面が表示されているときに、ユーザが図１３（ｉｖ）に示すようにチェック済み広告表示領域４０ｂにおいて下方向へのフリック操作を行うと、操作受付部４５はチェック済み操作を検知する（ステップＳ２４５：ＮＯ、ステップＳ３０５：ＹＥＳ）。チェック画面表示制御部４４１は、チェック済み広告表示領域４０ｂに表示させていた画像Ａを削除し、画像Ｄをチェック作業領域４０ａからチェック済み広告表示領域４０ｂに移動してその一部のみを、チェック待ちのチラシ画像とは重ならないように表示する。そして、チェック画面表示制御部４４１は、メッセージ表示領域４０ｃに表示させていたチェック対象のチラシ画像が何番目のチラシ画像であるかの数を「３」に更新する（ステップＳ３１０）。チェック画面表示制御部４４１は、画像Ｂの天地を調整して最もチェック済み広告表示領域４０ｂに近い位置に表示させ、画像Ｃの傾きを維持したまま画像Ｂの方向に移動して表示させる（ステップＳ３１５）。チェック画面表示制御部４４１は、画像Ｂに対応した表示店舗情報を含んだ吹き出しを、画像Ｂの上側に表示させる。
【００８７】
表示画面４０に未表示の画像Ｆが記憶部４３に記憶されているため（ステップＳ３２０：ＹＥＳ）、チェック画面表示制御部４４１は、その画像Ｆを読み出す（ステップＳ３２５）。チェック画面表示制御部４４１は、表示画面４０のチェック作業領域４０ａに、所定の範囲内において決めた傾きで、重なり順が最も下になるように画像Ｆを追加表示する（ステップＳ３３０）。これにより、図１４（ｉ）のチェック画面が表示される。
【００８８】
配信要求部４１は、表示画面４０に現在表示していないチェック待ちのチラシ画像の数が、配信要求の送信を判断する閾値「０」に達し（ステップＳ３３５：ＹＥＳ）、チラシ総数「６」が配信済表示優先度「５」よりも大きいため(ステップＳ３４０：ＹＥＳ）、配信要求を生成し、広告配信装置１への送信する(ステップＳ３４５）。配信要求の検索条件には、最初の配信要求と同様に、ユーザの所在地を示す検索条件が設定される。配信要求対象特定情報には、配信済表示優先度「５」に１を加算した表示優先度から始まる範囲「６〜１０」を示す値が設定される。なお、配信要求対象特定情報には、チラシ総数を超えないように、表示優先度の範囲「６」を示す値を設定してもよい。
【００８９】
広告配信装置１の検索部１４は、端末装置４から２回目の配信要求を受信する（ステップＳ１０５）、２回目の配信要求に設定されている検索条件が、１回目の配信要求に設定されている検索条件と同一であるため、検索部１４は、最初の配信要求を受信したときと同様に、画像Ａ、画像Ｂ、画像Ｃ、画像Ｄ、画像Ｅ、画像Ｆを選択する(ステップＳ１１０、Ｓ１１５）。また、検索条件から変換された郵便番号が乱数発生のパラメータとして用いられるため、表示優先度決定部１５は、最初の配信要求を受信したときと同様に、画像Ａの表示優先度を「１」、画像Ｂの表示優先度を「３」、画像Ｃの表示優先度を「４」、画像Ｄの表示優先度を「２」、画像Ｅの表示優先度を「６」、画像Ｆの表示優先度を「５」と決定する（ステップＳ１２０）。
【００９０】
配信部１６は、配信要求の配信要求対象特定情報が示す表示優先度の範囲「６〜１０」に合致する画像Ｅと、画像Ｅの表示優先度及び表示店舗情報と、チラシ総数「６」を配信データに設定する。さらに、配信部１６は、配信データにチラシ画像が１つのみ設定されているため、その表示優先度「６」を示す配信済表示優先度を配信データに設定する。これにより、配信部１６は、図４（ｂ）に示す２回目の配信データを端末装置４に送信する(ステップＳ１２５）。端末装置４の送受信部４２が、広告配信装置１から２回目の配信データを受信すると、記憶部４３は、図６（ｂ）に示すようにデータを記憶する。
【００９１】
図１４（ｉｉ）に示すように、ユーザが、表示画面４０のチェック作業領域４０ａにおける画像Ｂの表示領域をタップすると、操作受付部４５は、画像Ｂの閲覧操作を受け付けたと判断する（ステップＳ２４５：ＹＥＳ）。閲覧画面表示制御部４４２は、図１４（ｉｉｉ）に示すように画像Ｂを表示させる閲覧画面を表示する（ステップＳ２５０）。閲覧終了後、ユーザが閲覧画面の戻るボタンＢ２を選択すると（ステップＳ２５５：ＹＥＳ）、チェック画面表示制御部４４１は、図１４（ｉ）のチェック画面を表示させる（ステップＳ２６０）。
【００９２】
図１３（ｉｖ）あるいは図１４（ｉｉｉ）からの遷移の後、図１４（ｉ）に示すチェック画面が表示されているときに、ユーザが図１４（ｉｖ）に示すようにチェック済み広告表示領域４０ｂにおいて下方向へのフリック操作を行うと、操作受付部４５はチェック済み操作を検知する（ステップＳ２４５：ＮＯ、ステップＳ３０５：ＹＥＳ）。チェック画面表示制御部４４１は、チェック済み広告表示領域４０ｂに表示させていた画像Ｄを削除し、画像Ｂをチェック作業領域４０ａからチェック済み広告表示領域４０ｂに移動してその一部のみを、チェック待ちのチラシ画像とは重ならないように表示する。そして、チェック画面表示制御部４４１は、メッセージ表示領域４０ｃに表示させていたチェック対象のチラシ画像が何番目のチラシ画像であるかの数を「４」に更新する（ステップＳ３１０）。チェック画面表示制御部４４１は、画像Ｃの天地を調整して最もチェック済み広告表示領域４０ｂに近い位置に表示させ、画像Ｆの傾きを維持したまま画像Ｃの方向に移動して表示させる（ステップＳ３１５）。チェック画面表示制御部４４１は、画像Ｃに対応した表示店舗情報を含んだ吹き出しを、画像Ｃの上側に表示させる。
【００９３】
表示画面４０に未表示の画像Ｅが記憶部４３に記憶されているため（ステップＳ３２０：ＹＥＳ）、チェック画面表示制御部４４１は、その画像Ｅを読み出す（ステップＳ３２５）。チェック画面表示制御部４４１は、表示画面４０のチェック作業領域４０ａに、所定の範囲内において決めた傾きで、重なり順が最も下になるように画像Ｅを追加表示する（ステップＳ３３０）。これにより、図１５（ｉ）のチェック画面が表示される。
【００９４】
配信要求部４１は、表示画面４０に現在表示していないチェック待ちのチラシ画像の数が、配信要求の送信を判断する閾値「０」に達したが（ステップＳ３３５：ＹＥＳ）、チラシ総数「６」が配信済表示優先度「６」と同じであるため(ステップＳ３４０：ＮＯ）、配信要求は送信しない。操作受付部４５は、操作受付待ちとなる。
【００９５】
図１５（ｉ）に示すチェック画面が表示されているときに、ユーザが図１５（ｉｉ）に示すようにチェック済み広告表示領域４０ｂにおいて下方向へのフリック操作を行うと、操作受付部４５はチェック済み操作を検知する（ステップＳ２４５：ＮＯ、ステップＳ３０５：ＹＥＳ）。チェック画面表示制御部４４１は、チェック済み広告表示領域４０ｂに表示させていた画像Ｂを削除し、画像Ｃをチェック作業領域４０ａからチェック済み広告表示領域４０ｂに移動してその一部のみを、チェック待ちのチラシ画像とは重ならないように表示する。そして、チェック画面表示制御部４４１は、メッセージ表示領域４０ｃに表示させていたチェック対象のチラシ画像が何番目のチラシ画像であるかの数を「５」に更新する（ステップＳ３１０）。チェック画面表示制御部４４１は、画像Ｆの天地を調整して最もチェック済み広告表示領域４０ｂに近い位置に表示させ、画像Ｅの傾きを維持したまま画像Ｆの方向に移動して表示させる（ステップＳ３１５）。チェック画面表示制御部４４１は、画像Ｆに対応した表示店舗情報を含んだ吹き出しを、画像Ｆの上側に表示させる。
【００９６】
表示画面４０に未表示のチラシ画像が記憶部４３に記憶されていないため（ステップＳ３２０：ＮＯ）、チラシ画像は追加されない。配信要求部４１は、表示画面４０に現在表示していないチェック待ちのチラシ画像の数が、配信要求の送信を判断する閾値「０」に達したが（ステップＳ３３５：ＹＥＳ）、チラシ総数「６」が配信済表示優先度「６」と同じであるため(ステップＳ３４０：ＮＯ）、配信要求は送信しない。これにより、図１５（ｉｉｉ）のチェック画面が表示される。操作受付部４５は、操作受付待ちとなる。
【００９７】
一方、図１５（ｉ）に示すチェック画面が表示されているときに、ユーザが図１５（ｉｖ）に示すようにチェック済み広告表示領域４０ｂにおいて、チェック作業領域４０ａの方向（上方向）へのフリック操作を行うと、操作受付部４５は、チェックのやり直し操作を受け付けたと判断する（ステップＳ３５０：ＹＥＳ）。チェック画面表示制御部４４１は、チェック済み広告表示領域４０ｂに現在表示させている画像Ｂをチェック対象としたときのチェック画面に戻り、図１４（ｉ）を表示させる。具体的には、チェック画面表示制御部４４１は、現在チェック済み広告表示領域４０ｂに表示させている画像Ｂを、チェック作業領域４０ａに移動して重なりが一番上となるように、天地を調整して表示させる（ステップＳ３５５）。チェック画面表示制御部４４１は、チェック作業領域４０ａに表示させていた中で最も表示優先度が低い画像Ｅを消去し、重なりが二番目以降となった他のチラシ画像Ｃ、Ｆの表示位置を上方向に移動して表示させる（ステップＳ３６０）。チェック画面表示制御部４４１は、画像Ｂの表示店舗情報を含む吹き出しを表示し、メッセージ表示領域４０ｃに表示させていたチェック対象のチラシ画像が何番目のチラシ画像であるかの数を「３」に更新する。さらに、チェック画面表示制御部４４１は、画像Ｂの１つ前にチェックした画像Ｄをチェック済み広告表示領域４０ｂに表示させる（ステップＳ３６５）。
【００９８】
なお、操作受付部４５は、ユーザがチェック画面において下向きにフリック操作を行い、フリック操作の終了位置でそのまま指を離さずに表示画面４０に触れていることを検出した場合、指を触れている間、あるいは、指を触れている時間が所定時間を超えてから他の操作が行われるまでの間は、チェック済み操作が連続して行われているものとしてチェック画面表示制御部４４１に通知してもよい。このとき、操作受付部４５は、例えば、ユーザがフリック操作の終了位置となったチェック済み広告表示領域４０ｂにおいて指を離さずに触れている位置がチェック作業領域４０ａから遠いほど、連続したチェック済み操作間のスピードが速いものとしてもよい。
【００９９】
同様に、操作受付部４５は、ユーザがチェック画面において上向きにフリック操作を行い、フリック操作の終了位置でそのまま指を離さずに表示画面４０に触れていることを検出した場合、指を触れている間、あるいは、指を触れている時間が所定時間を超えてから他の操作が行われるまでの間は、やり直し操作が連続して行われているものとしてチェック画面表示制御部４４１に通知してもよい。このとき、操作受付部４５は、例えば、ユーザがフリック操作の終了位置となったチェック済み広告表示領域４０ｂにおいて指を離さずに触れている位置がチェック作業領域４０ａに近いほど、連続したチェックのやり直し操作間のスピードが速いものとしてもよい。
【０１００】
なお、上述した実施形態では、１台の端末装置４へのチラシ画像の同時配信数が限られている場合について説明したが、広告配信装置１は同時配信数を制限せずにチラシ画像を配信することもできる。この場合、配信データには、チラシ総数、及び配信済表示優先度を設定しなくともよい。広告配信装置１の配信部１６は、図９のステップＳ１２５において、表示優先度決定部１５から入力されたチラシ画像ＩＤにより特定される全てのチラシ画像と、これらチラシ画像について表示優先度決定部１５が決定した表示優先度と、これらチラシ画像の表示店舗情報とを対応付けた配信データを生成する。また、端末装置４は、図１１のステップＳ３３０の処理の後、あるいは、ステップＳ３２０においてＮＯと判断した場合（ステップＳ３２０：ＮＯ）、図１０のステップＳ２４５からの処理を繰り返し、ステップＳ３３５〜ステップＳ３４５の処理は実行しない。また、端末装置４は、配信要求に配信要求対象特定情報を設定しなくともよい。また、端末装置４は、配信データに設定されているチラシ画像の数をカウントしてチラシ総数とする。
【０１０１】
また、広告配信装置１が同時配信数を制限せずにチラシ画像を配信する場合、端末装置４のチェック画面表示制御部４４１は、表示上限数を設けず、全てのチラシ画像をチェック画面（チェック作業領域４０ａ）に表示するようにしてもよい。
また、広告配信装置１が同時配信数を制限せずにチラシ画像を配信する場合、広告配信装置１の表示優先度決定部１５に代えて、端末装置４の配信要求部４１が表示優先度を付与してもよい。例えば、端末装置４の配信要求部４１は、受信したチラシ画像に付与されている有効期限が近い順や遠い順に表示優先度を決定してもよく、ランダムに表示優先度を決定してもよい。あるいは、広告配信装置１の配信部１６が配信データ送信時にチラシ画像に付加した他の情報（掲載開始時刻、登録日時、店舗位置情報など）に基づいて、端末装置４の配信要求部４１が表示優先度を決定してもよい。
【０１０２】
また、上述した実施形態では、広告配信装置１は、配信要求を受信する度に、配信対象のチラシ画像を検索し、表示優先度を決定しているが、１回目の配信要求を受信したときに決定したチラシ画像の表示優先度を、ユーザ特定情報及び検索条件に対応付けて記憶部１１に記憶するようにしてもよい。この場合、図９のステップＳ１１０の前に、検索部１４は、受信した配信要求からユーザ特定情報（ユーザＩＤ、端末ＩＤ、電話番号など）を読み出す。検索部１４は、読み出したユーザ特定情報に対応付けてチラシ画像ＩＤと表示優先度との組が記憶部１１に記憶されており、かつ、記憶部１１に記憶されている検索条件と受信した配信要求に設定されている検索条件とが一致するかを判断する。検索部１４は、チラシ画像ＩＤと表示優先度との組が記憶されていない、あるいは、検索条件が異なると判断した場合、ステップＳ１１０からの処理を行う。配信部１６は、図９のステップＳ１２０において表示優先度決定部１５から出力されたチラシ画像ＩＤと表示優先度との組を、ユーザ特定情報及び検索条件に対応付けて記憶部１１に書き込む。
【０１０３】
そして、広告配信装置１が２回目以降の配信要求を受信した場合、図９のステップＳ１１０の前に検索部１４は、配信要求から取得したユーザ特定情報に対応付けてチラシ画像ＩＤと表示優先度との組が記憶されており、かつ、記憶部１１に記憶されている検索条件と受信した配信要求に設定されている検索条件とが一致すると判断する。検索部１４は、チラシ画像ＩＤと表示優先度との組を読み出して配信部１６に出力する。これにより、配信部１６は、ステップＳ１２５からの処理を行う。
なお、記憶部１１は、各配信時間帯の開始時刻に、ユーザ特定情報に対応付けて記憶していたチラシ画像ＩＤ、表示優先度、及び検索条件を消去する。
【０１０４】
また、上記のように、広告配信装置１が、１回目の配信要求を受信したときに決定したチラシ画像の表示優先度を記憶しておく場合、記憶部１１にさらに配信済表示優先度を記憶しておくことで、配信要求から配信要求対象特定情報を省略することができる。検索部１４は、図９のステップＳ１１０の前に、ユーザ特定情報に対応付けてチラシ画像ＩＤと表示優先度との組が記憶部１１に記憶されており、かつ、記憶部１１に記憶されている検索条件と受信した配信要求に設定されている検索条件とが一致すると判断した場合、記憶部１１からさらに配信済表示優先度を読み出して配信部１６に出力する。これにより、配信部１６は、配信済表示優先度に１を加算した範囲から始まる表示優先度の範囲を配信要求対象特定情報として用いる。
【０１０５】
以上説明した本実施形態の端末装置４によれば、表示画面４０に収まる大きさのチェック作業領域４０ａにチラシ画像を重ねて表示し、ユーザは最も上のチラシ画像から順番に閲覧を行うかの分別を行い、閲覧すると判断したチラシ画像を閲覧し、閲覧後は次のチラシ画像の分別を行うことができる。このため、ユーザは、紙のチラシを扱うのに近い感覚で、画面スクロールなどの操作を行わなくでも、チラシ画像を分別することができる。また、図１２〜図１５に示すように、チラシ画像をゲーム感覚で楽しく、片付けることができる。
【０１０６】
また、端末装置４は、チェック作業領域４０ａに表示位置や傾きをずらしてチラシ画像を重ねて表示するため、重なりが後ろのチラシ画像についても一部が表示される。同じ店舗のチラシ画像は、その店舗のロゴを常に使用したり、類似したレイアウト、色合い、文字の種類などを使用することが多いため、ユーザは、自分がよく利用する店舗のチラシ画像であれば、重なりが下のチラシ画像であっても、その見えているチラシ画像の一部の表示から類推することが可能である。よって、ユーザは、重なりが最も上のチラシ画像に対して分類作業を行いながらも、重なりが後ろに表示されている他のチラシ画像についても所望のチラシ画像であるか否かを判断し、それらのチラシ画像が最も上に表示されたときに、閲覧するか、閲覧せずにチェック済みとするかの分別をスムーズに行うことができる。しかし、チェック作業領域４０ａに多くのチラシ画像を表示しすぎてしまうと、重なりがより下のチラシ画像については表示される部分が少なくなってしまうため、一度（一斉）に表示するチラシ画像の数を制限し、１つのチラシ画像の分類が終わるごとに次のチラシ画像を追加表示するようにして、重なりが下のチラシ画像に対しても、容易に分別を行うことができるようにしている。
また、端末装置４は、チェック作業領域４０ａに表示している重なりが下のチラシ画像の中でも、優先度が高いものほど、現在チェック対象としているチラシ画像との距離を近くしている。よって、ユーザが視線を大きく動かすことなく、チェックを行う順番通りにチラシ画像を見ることができる。
また、端末装置４は、チェック作業領域４０ａの一方側から並ぶようにチェック待ちチラシ画像を重ねて表示させ、重なりが上のチェック待チラシ画像から重なりが下のチェック待チラシ画像へと並んでいる方向とは異なる方向に沿うフリック操作をチェック済み操作として受ける。このように、チェック作業領域４０ａにおいてチラシ画像が重なり順に並んでいる方向とは異なる方向に沿うフリック操作をチェック済み操作とすることにより、ユーザがチェック済み操作を行っても、チェック作業領域４０ａに表示しているチラシ画像が指で隠れないようにすることができる。
また、ユーザは、チラシ画像を分別する際の情報として、店舗名など、広告配信店舗に関する情報を利用することができる。この広告配信店舗に関する情報は、チェック済み操作を行うフリック方向とはチラシ画像を挟んで逆側に表示するため、チェック済み操作の指の動きによって広告配信店舗に関する情報が隠れることがない。
【０１０７】
また、広告配信装置１は、１度に配信する電子チラシを制限し、端末装置４は、まだ表示していないチェック待ちの電子チラシが所定数以下になったときに、まだ受信していない電子チラシがある場合には、広告配信装置１に未受信の電子チラシの配信を要求する。そのため、広告配信装置１と端末装置４との間の１回の通信時間が減少する。さらには、全ての電子チラシを配信する前にユーザが電子チラシの分別を中止することもある。従って、あるユーザの端末装置４に配信対象の電子チラシ全てを配信してから、次のユーザの端末装置４に配信対象の電子チラシ全てを配信することを繰り返す場合と比較して、総通信時間が減少するともに、短い時間の中でより多くのユーザに広告を配信することができる。
【０１０８】
また、広告配信装置１は、配信要求を受信する都度、検索条件に合致する電子チラシを選択して表示優先度を決定するため、各端末装置４へ未配信の電子チラシの情報を記憶しておく必要がなく、記憶部１１の記憶領域を圧迫しないようにすることができる。一方、最初の配信要求時に選択した電子チラシとその表示優先度の情報を記憶しておくことにより、広告配信装置１における電子チラシの検索処理及び表示優先度の決定の処理が省略されるため、端末装置４が２回目以降の配信要求を送信してから配信データを受信するまでの時間を短縮することができる。
【０１０９】
また、ユーザは、電子チラシを端末装置４に表示される順に閲覧することが多いと考えられるが、電子チラシの配信数が多いときなど、目的の広告データや、気に入った広告データを閲覧した後、残りの広告データの分別を止めてしまうことがある。そこで広告配信装置１が、配信するチラシ画像の表示優先度をランダムに決めることによって、表示優先度順による各電子チラシが閲覧される機会の不均衡を低減し、電子チラシがユーザに閲覧される機会を公平に近づけることができる。
【０１１０】
なお、上記した実施形態においては、作業画面においてチェック作業領域４０ａがチェック済み広告表示領域４０ｂの上である場合を例に説明したが、チェック作業領域４０ａがチェック済み広告表示領域４０ｂの下であってもよく、チェック作業領域４０ａとチェック済み広告表示領域４０ｂが左右に並んでもよい。
【０１１１】
また、上記した実施形態においては、操作受付部４５は、ユーザが、表示画面４０上において一のチラシ画像の表示領域をタップした場合、当該指の操作を重なりが最も上のチラシ画像の閲覧操作として受け付け、チェック画面においてチェック作業領域４０ａからチェック済み広告表示領域４０ｂへの方向と同じ方向へフリックした場合、当該指の移動操作を、重なりが最も上のチラシ画像のチェック済み操作として受け付け、チェック画面においてチェック済み広告表示領域４０ｂからチェック作業領域４０ａへの方向と同じ方向へフリックした場合、当該指の移動操作を、チェック作業のやり直し操作として受け付けると説明したが、操作受付部４５が移動操作として受け付ける操作はこれに限定されない。
【０１１２】
以下、サムネイル画像を分類する態様について説明する。広告配信装置１の記憶部１１は、サムネイル画像と閲覧用画像とを対応付けて記憶する。また、店舗管理情報のチラシ画像ＩＤに代えて、サムネイル画像を識別する情報であるサムネイルＩＤを設定する。広告配信装置１は、チラシ画像ＩＤに代えてサムネイルＩＤを用いて図９と同様の処理を行い、配信部１６はチラシ画像に代えてサムネイル画像を配信データに設定し、端末装置４に送信する。
端末装置４のチェック画面表示制御部４４１は、チェック画面においては、チラシ画像に代えてサムネイル画像を用いてチェック画面を表示する。なお、端末装置４の送受信部４２は、広告配信装置１から送信された閲覧用画像も受信する（後述）。閲覧画面表示制御部４４２は、ユーザによって閲覧操作されたサムネイル画像に対応する閲覧用画像を広告配信装置１に要求する。即ち、端末装置４の操作受付部４５は、チェック作業領域４０ａに表示されている重なりが最も上のサムネイル画像に対する閲覧操作を受ける。端末装置４の閲覧画面表示制御部４４２は、操作受付部４５によって閲覧操作を受けたサムネイル画像に対応する閲覧用画像を広告配信装置１に要求する。
広告配信装置１の配信部１６は、端末装置４からの要求に応じて、サムネイル画像に対応した閲覧用画像を記憶部１１から読み出して端末装置４に送信する。端末装置４の送受信部４２は、広告配信装置１から送信された閲覧用画像を受信し、閲覧画面表示制御部４４２は、受信した閲覧用画像を閲覧画面に表示する。
【０１１３】
なお、広告配信装置１は、閲覧用画像に有効期限を設定し、端末装置４から閲覧用画像を要求された場合に、有効期限をチェックしてもよい。即ち、広告配信装置１の配信部１６は、有効期限内の閲覧用画像については端末装置４に送信し、有効期限を過ぎた閲覧用画像については端末装置４に送信しないようにしてもよい。
【０１１４】
また、端末装置４の閲覧画面表示制御部４４２は、サムネイル画像に対する閲覧操作を受ける都度、広告配信装置１に閲覧用画像を要求するのではなく、広告配信装置１から受信した閲覧用画像を一時記憶しておき、一時記憶している閲覧用画像を表示してもよい。なお、端末装置４の閲覧画面表示制御部４４２は、閲覧用画像に有効期限が設定されている場合であって端末装置４側において有効期限を保持する場合（例えば、サムネイル画像又は閲覧用画像とともに有効期限情報を広告配信装置１から取得している場合）には、一時記憶している閲覧用画像を表示する際に、有効期限をチェックし、有効期限であれば表示し、そうでなければ表示しないようにしてもよい。また、端末装置４の閲覧画面表示制御部４４２は、閲覧用画像に有効期限が設定されている場合であって端末装置４側において有効期限を保持しない場合には、一時記憶している閲覧用画像を表示する際に、広告配信装置１に有効期限を問い合わせ、有効期限をチェックしてもよい。
【０１１５】
なお、上記実施形態においては、「チェック」とは、ユーザがチェック作業領域４０ａに表示されているチラシ画像をチェックし、チェック済みのチラシ画像をチェック済み広告表示領域４０ｂに移動させると定義しているが、これはユーザによっては必ずしもチェックではなく、スクロール操作という意味づけであっても良い。つまり、チェック済み操作は、スクロール操作であり、チェック済み広告表示領域４０ｂへのチラシ画像の移動はスクロール表示であり、自由に上下方向にチラシをスクロールして気になったチラシ画像を表示させる、という操作が可能なものである。
【０１１６】
また、上記実施例においては、端末装置４は、スマートフォンである場合について説明したが、端末装置４がパーソナルコンピュータ、スマートフォンの普及よりも前に普及した携帯電話であり、タッチセンサ画面を有しない場合には、操作受付部４５は、マウス、操作キーなどによって、各種の操作を受け付けるようにしてもよい。
【０１１７】
また、広告配信装置１及び端末装置４の機能を実現するためのプログラムをコンピュータ読み取り可能な記録媒体に記録して、この記録媒体に記録されたプログラムをコンピュータシステムに読み込ませ、実行することにより、上記処理を行ってもよい。なお、ここでいう「コンピュータシステム」とは、ＯＳや周辺機器等のハードウェアを含むものとする。
【０１１８】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１１９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２０】
１  広告配信装置
１１  記憶部
１２  送受信部
１３  要求受信部
１４  検索部
１５  表示優先度決定部
１６  配信部
４  端末装置
４０  表示画面（表示部）
４１  配信要求部
４２  送受信部（受信部）
４３  記憶部
４４  表示制御部
４４１  チェック画面表示制御部
４４２  閲覧画面表示制御部
４５  操作受付部
４６  計時部
９  ネットワーク
【図１】
2015069514.tif 000003
【図２】
2015069514.tif 000004
【図３】
2015069514.tif 000005
【図４】
2015069514.tif 000006
【図５】
2015069514.tif 000007
【図６】
2015069514.tif 000008
【図７】
2015069514.tif 000009
【図８】
2015069514.tif 000010
【図９】
2015069514.tif 000011
【図１０】
2015069514.tif 000012
【図１１】
2015069514.tif 000013
【図１２】
2015069514.tif 000014
【図１３】
2015069514.tif 000015
【図１４】
2015069514.tif 000016
【図１５】
2015069514.tif 000017